(57)【要約】      （修正有）【課題】軸組構法で構築された古民家の耐震性能を向上することのできる新たな耐震補強壁を提供する。【解決手段】隣り合う柱１、２とその間に渡された上下の水平梁３、４との間に形成される空間部分に、その空間部分のサイズより小さめの補強枠を組み込み、その補強枠と各柱、各粱との間の隙間に合成ゴム１６を介在させた後、その補強枠を各柱と各梁とにコーチボルト等を用いて固定する。【選択図】図５
0003171904.tif 000002
【実用新案登録請求の範囲】
【請求項１】
軸組構法で建築される家屋の隣り合う２本の柱と、それらの間に渡された下側水平梁と上側水平梁とで囲まれる空間に組み込むことのできる耐震補強壁であって、前記空間に対し、少なくとも柱と梁との間に隙間を開けて嵌り合う矩形状の補強枠を形成し、その補強枠と前記柱との隙間、並びにその補強枠と前記梁との隙間に、それぞれ耐圧性の合成ゴムを介在させてから、その補強枠を各柱と各梁に固定してなる耐震補強壁。
【請求項２】
前記補強枠は、鉄製のアングルで形成されていることを特徴とする請求項１に記載の耐震補強壁。
【考案の詳細な説明】
【技術分野】
【０００１】  この考案は、家屋の耐震性能を向上させることのできる耐震補強壁に関する。
【背景技術】
【０００２】  従来の軸組構法で建てられた古い家屋は、耐震性能が劣るため、古い家屋の壁を取り除いて、そこに特許文献１に示すような補強壁を構築する提案がなされている。
【先行技術文献】
【特許文献】
【０００３】
【特許文献１】特開２０１０−１２１３９８号公報
【考案の概要】
【考案が解決しようとする課題】
【０００４】  しかしながら、特許文献１に開示されたものは、柱と柱との間に角材を重ねながら挟み込んで補強壁を構築するため、手間が係るという問題があった。【０００５】  この考案は、家屋に対して、極めて簡単に補強壁を組み込むことのできる新たな耐震補強壁を提供することを課題とする。
【課題を解決するための手段】
【０００６】  本考案に係る耐震補強壁は、軸組構法で建てられる家屋の隣り合う２本の柱と下側水平梁と上側水平梁とで囲まれる空間に組み込むことのできる耐震補強壁であって、前記空間に対し、少なくとも柱と梁との間に隙間を開けて嵌り合う矩形状の補強枠を形成し、その補強枠と前記柱との隙間、並びにその補強枠と前記梁との隙間に、それぞれ耐圧性の合成ゴムを介在させてから、その補強枠を各柱と各梁に固定することを特徴とする。
また、前記補強枠は、鉄製のアングルで形成されていることを特徴とする。【０００７】  軸組構法で建てられた既存家屋では、隣り合う柱の間隔や上下梁の間隔は、規定の寸法で造られるため、それらで囲まれた空間の内々寸法も規定の長さとなっている。しかし、経年変化によって柱や梁が変形し、そこに、規定寸法の補強壁を組み込むのは、極めて難しい。そこで、この考案では、補強壁を組み込みたいところの壁を取り払ってできる空間に、その空間の内内寸法よりも小さめの補強枠を用意する。そして、その補強枠を前記空間に嵌め込んだ後、その補強枠と柱との間にできる隙間、並びに、補強枠と梁との間にできる隙間に、耐圧性の合成ゴムを詰めてから、その補強枠を隣り合う各柱と上下の水平梁にそれぞれコーチボルト等で固定する。
また、この補強枠は、鉄製のアングルで形成され、筋交いも設けているので、角材を積層した補強壁に劣らない強度を有する。
【考案の効果】
【０００８】  本考案に係る耐震補強壁によれば、経年変化によって柱や梁が変形していても、隣り合う２つの柱と上下の水平梁とで囲まれる空間に極めて簡単に組み込むことができる。しかも、柱と補強枠との間にできる隙間、並びに梁と補強枠との間にできる隙間には、それぞれ合成ゴムを詰めて、補強枠と柱、補強枠と水平梁とに密着させるので、強固な耐震補強壁を構築することができる。
また、補強枠を鉄材で形成したので、強固な補強枠が工場で簡単に量産できるから、安価に製造することができる。また、補強壁を構築した後、経年変化によって、柱や梁がさらに変形しても、介在させた合成ゴムがその変形を吸収して補強枠と柱との密着性や、補強枠と梁との密着性をいつまでも保持してくれるので、補強壁としての耐震性を持続させることができる。
さらに、新築家屋であっても、量産された補強枠を組み込めば、安価に耐震補強壁を構築することができる。
【図面の簡単な説明】
【０００９】
【図１】耐震補強壁を造る前の既存家屋の軸組の一例を示す斜視図。
【図２】補強枠の一例を示す平面図
【図３】補強枠を柱に組み込む場合の補強枠の一部側面図
【図４】他の補強枠の一例を示す平面図
【図５】補強枠を組み込んだ耐震補強壁の一例を示す正面図
【図６】他の補強枠を組み込んだ耐震補強壁の一例を示す正面図
【図７】２種の補強枠を使用して組み込んだ耐震補強壁の一例を示す正面図
【考案を実施するための形態】
【００１０】  以下、本考案の一実施形態について、図面を参照しながら説明する。
【実施例】
【００１１】  図１は、耐震補強壁を造る前の既存家屋の軸組の一例を示す斜視図である。この図１において、１は柱、２は隅柱、３は上側水平梁、４は下側水平梁、５は基礎、６は土台である。こうした軸組工法で建てられた家屋では、特に、部屋７の四隅に造られた直交する２つの壁部８を耐震補強壁とする必要がある。
なお、この図１では、各壁部８の壁を取り除いた状態で示している。【００１２】  図２は、壁が取り除かれた各壁部８に組み込む補強枠１０の一例を示したものである。この図２において、矩形状の補強枠１０は、鉄製のアングルで形成され、その外形サイズは、前記壁部８の内内寸法よりも小さめに、例えば両サイドで約１０ｍｍずつ、上下サイドでも約１０ｍｍ小さめに形成されており、また、補強枠１０の厚みｔは、図３の一部側面図に示すように、柱１の幅Ｔよりも小さめに造られて、部屋７の内と外の両面から補強枠１０の上に合板を張ったり、合板の代わりに、リブラス等を張って、その上から壁が形成できる幅とされている。このように、外形サイズを小さめに形成するのは、家屋の経年変化によって、柱１、２や梁２、３が変形していても、余裕を持って組み込めるようにするためである。【００１３】  補強枠１０の外枠１１は、鉄製アングルを溶接することによって、或いは、鉄製アングルを補強板を介してボルトで固定することによって形成され、その四隅には、十字に交差する筋交い１２、１３が溶着によって、或いは、ボルト止めによって固定されている。そして、一方の筋交い１３、は、中央で分離されて中央の補強板１４に溶接によって、或いは、ボルト止めによって固定され、他方の筋交い１２も中央で補強板１４に溶接によって、或いは、ボルト止めによって固定されて、交差する筋交い１２、１３が一体化されている。【００１４】  これにより、耐震性能に優れた強固な補強枠１０を形成することができるが、補強枠１０の形状は、これに限定されるものではなく、必要に応じて補強枠１０の内側に縦横にアングルを渡してさらに補強することもできる。また、補強枠１０の外枠１１には、図３に示すように、一定ピッチで貫通孔１５が穿設され、そこにコーチボルト等の締結手段を挿通して、補強枠１０を柱１、２や梁３，４に固定する。【００１５】  図４は、他の補強枠２０の一例を示した平面図で、この補強枠２０では、特に、四隅を斜めにカットした形状としている。これは、柱１、２の上部と下部には、かど金物やホールダウン金物が取り付けられることがあるので、それらとの干渉を避けるための切り欠きである。したがって、必要に応じて、下側の両サイドだけに切り欠きを設けたり、片側サイドの上下に設けたりすることができる。その他は、図２、図３の補強枠１０と同一の構成である。【００１６】  次に、これらの補強枠１０を使った耐震補強壁の構築について説明する。
図５は、柱１と柱２、上側水平梁３と下側水平梁４とで囲まれる空間Ａに補強壁Ｂを構築した一例を示したものである。
この図において、まず、空間Ａの内内寸法より小さめの補強枠１０を空間Ａに組み込み、その補強枠１０の外枠１１と柱１，２との間にできる隙間、並びに外枠１１と梁３、４との間にできる隙間に耐震性の合成ゴム１６を均等に介在させ、その上から図示しないコーチボルト等で柱１，２や梁３、４に固定する。合成ゴム１６は、厚みの異なるものを数種類用意しておき、その中から各間隔にぴったり合うものを選んで差し込む。これにより、柱１，２や梁３，４が経年変化によって変形していても、これに合わせて補強枠１０との間にできる間隔を埋めることができる。
なお、合成ゴム１６は、外枠１１の全周に亘って詰める必要はなく、コーチボルト等を挿通させる孔１５に対応させて、一定間隔で詰めればよい。【００１７】  合成ゴム１６としては、基礎５と土台６との間に設置する耐震性のある防振ゴムや免振ゴムを使用することができるが、厚さとして１ｍｍ、３ｍｍ、５ｍｍ、１０ｍｍのものを用意しておけば、これらを適宜組合せて、積層することによって１ｍｍから３０ｍｍ程度の隙間を埋めることができる。【００１８】  図６は、図４に示す補強枠２０を使って補強壁Ｂを構築した一例を示し、図７は、短寸の補強枠３０、４０を組み合わせて補強壁Ｂを構築した一例を示す。この短寸の補強枠３０、４０は、種々の幅の角材１７と組み合わせることによって、種々の高さ寸法の空間Ａに対応できる利点がある。この場合においても、上下の補強枠３０、４０と角材１７とは、コーチボルトで締結される。或いは、これらの間にボルトを挿通してナットで強固に締結される。また、空間Ａの上下左右の寸法に応じて、各補強枠３０、４０と角材１７との間に合成ゴム１６を介在させてもよい。特に、角材１７が標準寸法である場合は、合成ゴム１６による隙間の間隔調整が必要となる。
以上、この考案の一実施形態について説明したが、この考案は、これに限定されるものではなく、例えば、新築家屋に対しても、同様にして耐震補強壁を構築することができる。
【符号の説明】
【００１９】１      柱
２      柱（隅柱）
３      梁（上側水平梁）
４      梁（下側水平梁）
７      部屋
８      壁部
１０    補強枠
１１    外枠
２０    補強枠
３０    補強枠
４０    補強枠
Ａ      空間
Ｂ      補強壁（耐震補強壁）
【図１】
0003171904.tif 000003
【図２】
0003171904.tif 000004
【図３】
0003171904.tif 000005
【図４】
0003171904.tif 000006
【図５】
0003171904.tif 000007
【図６】
0003171904.tif 000008
【図７】
0003171904.tif 000009